(57)【要約】【課題】  浴室の任意の個所に固定できて位置を変えることが容易であり、浴槽の形状に沿わせてスッキリとした状態で設置して使用できる浴室用枕を提供する。【解決手段】  浴槽の任意の個所に固定可能な浴室用枕であって、浴槽への固定側面に吸着シート３が設けられ、該浴室用枕の内部にはゲル材８が封入されて形状が変形自在に構成され、中心部には、壁に掛けるための壁掛け部材９を挿入可能な貫通孔７が形成されている。【選択図】  図１
2006212359.tif 000002
【特許請求の範囲】
【請求項１】
浴槽の任意の個所に固定可能な浴室用枕であって、浴槽への固定側面に吸着シートが設けられ、該浴室用枕の内部にはゲル材が封入されて形状が変形自在に構成されていることを特徴とする浴室用枕。
【請求項２】
壁掛け部材を挿入可能な貫通孔を備え、前記壁掛け部材を介して壁等に掛止できるように構成したことを特徴とする請求項１に記載の浴室用枕。
【発明の詳細な説明】
【技術分野】
【０００１】
本発明は、入浴中に頭をもたれかけてリラックスできる浴室用枕に関するものである。
【背景技術】
【０００２】
従来、特許文献１に開示されているような浴室用クッション材が存在し、入浴中にこの浴室用クッション材に頭をもたれかけて入浴できるものとなっている。
また、従来、特許文献２に開示されているような吸着シートが存在する。
【特許文献１】特開２０００−２３７０８１号公報
【特許文献２】特開２００１−１０４１２８号公報
【発明の開示】
【発明が解決しようとする課題】
【０００３】
従来の特許文献１に開示されているような浴室用クッション材は、浴槽に専用品として取り付けるか、または、浴槽の凸部にクッション材の凹部を嵌め込む等の構造で固定する必要があり、位置を変えることは困難であり、別の位置で用いると滑ってしまうという問題点があった。
また、吸盤により取り付ける方法もあるが、吸盤は平らな面にしか吸い付かないので、浴槽上面（フランジ平面部）にしか取り付けることができず、好みの位置（例えば、フランジ平面部から浴槽内への湾曲部）に取り付けられなかった。
【課題を解決するための手段】
【０００４】
本発明は上記従来の問題点に鑑み案出したものであって、浴槽の任意の位置に固定して、ずれることなく良好に使用することのできる浴室用枕を提供せんとするものであり、その請求項１は、浴槽の任意の個所に固定可能な浴室用枕であって、浴槽への固定側面に吸着シートが設けられ、該浴室用枕の内部にはゲル材が封入されて形状が変形自在に構成されていることである。
また、請求項２は、壁掛け部材を挿入可能な貫通孔を備え、前記壁掛け部材を介して壁等に掛止できるように構成したことである。
【発明の効果】
【０００５】
本発明の浴室用枕は、浴槽への固定側面に吸着シートが設けられ、浴室用枕の内部にはゲル材が封入されて形状が変形自在に構成されていることより、浴槽の形状に沿わせて自由に変形させて、スッキリとした状態で配置させて使用でき、頭を長時間当てても痛みも伴わず、リラックスした状態で入浴できるものとなる。また、吸着シートを介して浴槽の任意の個所に位置を変えて固定することができ、使用時にもズレが生じにくいものとなる。
【０００６】
また、壁掛け部材を挿入可能な貫通孔を備え、壁掛け部材を介して壁等に掛止できるように構成したことにより、使用しない時には、壁掛け部材を介して浴室内の壁等に掛止させて、スッキリとした状態で邪魔になることなく収納できるものとなる。
【実施例】
【０００７】
以下、本発明の実施例を図面に基づいて説明する。
図１は、枕と壁掛け部材の分解斜視図であり、図2は、枕の概略断面構成図である。
【０００８】
浴室用の枕１は、表面側が０．２ｍｍ程度の厚さのポリエチレン等の素材からなるカラーシート２で構成されており、このカラーシート２は、浴室壁１０の色または柄に合わせた色，柄のもので構成されている。
また、枕１の裏面側は、浴槽１１の任意の個所に吸着させて固定できる吸着シート３で構成されている。
【０００９】
表側のカラーシート２の外端部２   ａ及び裏側の吸着シート３の外端部３ａは、外周を構成する外周リング部４内に埋め込み状等に固定されて、露出しないように構成されている。この外周リング部４は、内部に発砲ウレタン，発砲ＥＶＤ等が封入されて、リング状の形状を維持できる程度の硬さとなっており、首筋等の凹部に当たりやすいように設定されている。
【００１０】
また、カラーシート２及び吸着シート３の内端側は、図３に示すような固定部材６で挟み付けられて重合されている。
即ち、固定部材６は、凹部を有する雌部材６ａと、凸部を有する雄部材６ｂで構成され、表側及び裏側から雌部材６ａと雄部材６ｂを、凹部と凸部を嵌め合わせて嵌合させることで、表側のカラーシート２と裏側の吸着シート３の内端側が封止されるように構成されている。
なお、図４には、雌部材６ａと雄部材６ｂの嵌合部分の拡大断面を示す。
【００１１】
このように封止された外周リング部４と固定部材６間のカラーシート２と吸着シート３間で形成される空間内には、ゲル材8が封入されている。このゲル材８は、例えばウレタン系ゲル材で、人肌やコンニャクの硬さ程度の変形自在な硬さに設定されている。
【００１２】
なお、固定部材６を嵌め合わせた時に、中心部に貫通孔７が形成されるように、雌部材６ａ及び雄部材６ｂの中心部には貫通孔７が形成されており、この貫通孔７内に挿入可能な壁掛け部材９が用意されている。
壁掛け部材９の表面９ａは、カラーシート２の色や柄と同一のものとなっており、壁掛け部材９の裏面９ｂには、吸盤または磁石を設けておくことができる。
【００１３】
図５は、壁掛け部材９を貫通孔７内に差し込んで浴室の壁に掛止させた状態図であり、図６に示すように、使用しない時には、浴室壁１０に壁掛け部材９を介して枕１を掛止収納させて、邪魔にならないようにしておくことができるものである。
なお、浴室壁１０が鋼板で構成されている場合には、壁掛け部材９の裏面９ｂに磁石を設けておけば、壁掛け部材９を良好に浴室壁１０に固定することができるものであり、鋼板以外の浴室壁１０の場合には、裏面９ｂに吸盤を設けて着脱可能に固定できるようにしておくことができる。
【００１４】
なお、本例の枕１は、例えば厚みが３０ｍｍ程度で、直径は約３００ｍｍ程度で、中心部の貫通孔７は直径３０ｍｍ程度に設定されている。
枕１は、内部にゲル材８が封入されているため、図６に示すように、浴槽１１の形状に沿わせて変形させて設置することができ、裏側は吸着シート３で構成されているため、浴槽１１のフランジ部１１ａの角部等にずれることなく良好に固定させ、入浴時にこの枕１に首筋をもたれかけさせてリラックスした状態で使用することができるものであり、内部のゲル材８により、長時間使用しても痛みを伴うことがなく、また、３０ｍｍ程度の厚みであるため高すぎず、良好な使用状態が得られるものとなる。
【００１５】
また、必要に応じ容易に位置を変えて、浴槽１１の任意の位置に吸着シート３を介して固定させることができ、浴槽１１の形状に沿って形状が変化するために、違和感を生じることなく、良好に任意の位置に固定して使用できるものである。
なお、収納時には、表面が浴室壁１０の色，柄と同一で統一されているため、浴室壁１０にスッキリとした状態で収納しておくことができるものである。
【図面の簡単な説明】
【００１６】
【図１】浴室用枕と壁掛け部材の分解斜視図である。
【図２】浴室用枕の断面拡大構成図である。
【図３】固定部材の分解拡大断面図である。
【図４】固定部材の雌部材と雄部材の嵌合部分の拡大断面図である。
【図５】枕の貫通孔内に壁掛け部材を嵌め込んで浴室壁に掛止する状態の斜視構成図である。
【図６】浴室用枕の使用状態と収納状態を説明する説明図である。
【符号の説明】
【００１７】
１  枕
２  カラーシート
２ａ，３ａ  外端部
３  吸着シート
４  外周リング部
５  発砲ウレタン
６  固定部材
６ａ  雌部材
６ｂ  雄部材
７  貫通孔
８  ゲル材
９  壁掛け部材
９ａ  表面
９ｂ  裏面
１０  浴室壁
１１  浴槽
【図１】
2006212359.tif 000003
【図２】
2006212359.tif 000004
【図３】
2006212359.tif 000005
【図４】
2006212359.tif 000006
【図５】
2006212359.tif 000007
【図６】
2006212359.tif 000008